(57)【要約】  本発明にかかる靴は、前足部の横アーチ中央に対応する部分に設けられた中央部４３と、足先方向から見て中央部４３の両側に設けられ、中央部４３よりも柔らかい内側部４１および外側部４２とを備えた中底であって、足先方向から見た場合における内側部４１、中央部４３および外側部４２の連続した表面形状が、履用時にかかる重さがかけられたときに足裏の形状に沿って上に凸に変形する中底４を有するため、靴を履いたときに前足部の足裏が横アーチに近い形状となることから、靴を履いた場合における横アーチ形状の崩れが少なくなり、横アーチ形状の崩れに起因する足の負担を軽減することができる。
2008146376.tif 000002
【特許請求の範囲】
【請求項１】
前足部の横アーチ中央に対応する部分に設けられた第１の弾性部材と、
足先方向から見て前記第１の弾性部材の両側に設けられ、前記第１の弾性部材よりも柔らかい第２の弾性部材と、
を有する中底であって、前記足先方向から見た場合における前記第１の弾性部材と前記第２の弾性部材との連続した表面形状は、原形がほぼ平坦であり、履用時にかかる重さがかけられたときに上に凸に変形する中底を備えたことを特徴とする靴。
【請求項２】
前記中底においては、
前記第１の弾性部材は、第２中足骨頭、第３中足骨頭および第４中足骨頭にほぼ対応する領域に設けられ、
前記第２の弾性部材は、第１中足骨頭にほぼ対応する領域および第５中足骨頭にほぼ対応する領域に設けられることを特徴とする請求項１に記載の靴。
【請求項３】
前記中底においては、
前記第２の弾性部材は、履用時にかかる重さがかけられたときに、少なくとも足裏の第１中足骨頭対応部分および第５中足骨頭対応部分が沈み込むとともに、該第２の弾性部材の上面が底につかない程度の反発力および厚さを有し、
前記第１の弾性部材は、履用時にかかる重さがかけられたときに、前記第２の弾性部材よりも少ない沈み込み量で沈み込むとともに、上に凸である前記表面形状を保持できる反発力および厚さを有することを特徴とする請求項２に記載の靴。
【請求項４】
前記中底においては、
前記第１の弾性部材は、足先方向から見た両側面が底面に対し９０°未満の角度で傾斜した原形を有し、
前記第２の弾性部材は、足先方向から見た側面が前記第１の弾性部材の前記側面の少なくとも一部と接着可能である程度に底面に対し９０°よりも大きな角度で傾斜した原形を有することを特徴とする請求項１に記載の靴。
【請求項５】
前足部の横アーチ中央に対応する部分に設けられた第１の弾性部材と、
足先方向から見て前記第１の弾性部材の両側に設けられ、前記第１の弾性部材よりも柔らかい第２の弾性部材と、
を備え、前記足先方向から見た場合における前記第１の弾性部材と前記第２の弾性部材との連続した表面形状は、原形がほぼ平坦であり、履用時にかかる重さがかけられたときに上に凸に変形することを特徴とする靴の中敷。
【請求項６】
前記第１の弾性部材は、第２中足骨頭、第３中足骨頭および第４中足骨頭にほぼ対応する領域に設けられ、
前記第２の弾性部材は、第１中足骨頭にほぼ対応する領域および第５中足骨頭にほぼ対応する領域に設けられることを特徴とする請求項５に記載の靴の中敷。
【請求項７】
前記第２の弾性部材は、履用時にかかる重さがかけられたときに、少なくとも足裏の第１中足骨頭対応部分および第５中足骨頭対応部分が沈み込むとともに、該第２の弾性部材の上面が底につかない程度の反発力および厚さを有し、
前記第１の弾性部材は、履用時にかかる重さがかけられたときに、前記第２の弾性部材よりも少ない沈み込み量で沈み込むとともに、上に凸である前記表面形状を保持できる反発力および厚さを有することを特徴とする請求項６に記載の靴の中敷。
【請求項８】
前記第１の弾性部材は、足先方向から見た両側面が底面に対し９０°未満の角度で傾斜した原形を有し、
前記第２の弾性部材は、足先方向から見た側面が前記第１の弾性部材の前記側面の少なくとも一部と接着可能である程度に底面に対し９０°よりも大きな角度で傾斜した原形を有することを特徴とする請求項５に記載の靴の中敷。
【発明の詳細な説明】
【技術分野】
【０００１】
本発明は、横アーチ形状の崩れに起因する足の負担を軽減する靴および靴の中敷に関する。
【背景技術】
【０００２】
足の痛みや変形を防止するために、足の骨格を理想の形に近づけられるように足の骨の横断面方向のアーチ（横アーチ）形状に合わせて中底を隆起させた靴が提案されている（たとえば、特許文献１参照）。【０００３】
【特許文献１】特開２００２−２８２０１１号公報
【発明の開示】
【発明が解決しようとする課題】
【０００４】
しかしながら、このような靴は、中底の隆起形状が固定されているため足裏形状の個人差までカバーできず、靴を履いた人の横アーチ形状と隆起形状とが合わない場合があった。さらに、従来の靴においては、中底の隆起形状を保持するために隆起部分全体が反発力の強い硬い部材で製造されている場合が多い。このため、このような靴を履いた場合、横アーチ形状が崩れた足裏と硬い隆起部分とが強くぶつかり、ぶつかった部分を中心に強い痛みをともなう胼胝や魚の目などが生じる場合があった。【０００５】
特に婦人靴は、ヒールが高くなるにしたがって前足部への体重負荷率が大きくなる。このため、ヒールが高い婦人靴の場合には前足部に大きな重さがかかる結果、足の第２中足骨頭から第４中足骨頭までが落ち込んで横アーチ形状が崩れて開張足となりやすく、足の変形が生じることから、特にハイヒールを履いて長時間歩いた場合などは、足裏の第２中足骨頭から第４中足骨頭の部分に強い痛みをともなった胼胝や魚の目などにより、痛みをともなう状態が生じていた。【０００６】
したがって、従来の隆起させた中底を設けた靴であっても、婦人靴の場合には、開張足を防止して胼胝や魚の目などを作らないためにはヒールを３ｃｍ以下にまで低くせざるを得なかった。このような理由により、従来から、デザイン性が常に要求される婦人靴に対して、足の負担軽減とヒールを高くさせたデザインとをともに満たすことが困難であった。【０００７】
本発明は、上記した従来技術の欠点に鑑みてなされたものであり、靴を履いた場合における横アーチ形状の崩れに起因する足の負担を軽減できる靴および靴の中敷を提供することを目的とする。
【課題を解決するための手段】
【０００８】
上述した課題を解決し、目的を達成するために、この発明にかかる靴は、前足部の横アーチ中央に対応する部分に設けられた第１の弾性部材と、足先方向から見て前記第１の弾性部材の両側に設けられ、前記第１の弾性部材よりも柔らかい第２の弾性部材とを有する中底であって、前記足先方向から見た場合における前記第１の弾性部材と前記第２の弾性部材との連続した表面形状は、原形がほぼ平坦であり、履用時にかかる重さがかけられたときに上に凸に変形する中底を備えたことを特徴とする。【０００９】
また、この発明にかかる靴は、前記中底においては、前記第１の弾性部材は、第２中足骨頭、第３中足骨頭および第４中足骨頭にほぼ対応する領域に設けられ、前記第２の弾性部材は、第１中足骨頭にほぼ対応する領域および第５中足骨頭にほぼ対応する領域に設けられることを特徴とする。【００１０】
また、この発明にかかる靴は、前記中底においては、前記第２の弾性部材は、履用時にかかる重さがかけられたときに、少なくとも足裏の第１中足骨頭対応部分および第５中足骨頭対応部分が沈み込むとともに、該第２の弾性部材の上面が底につかない程度の反発力および厚さを有し、前記第１の弾性部材は、履用時にかかる重さがかけられたときに、前記第２の弾性部材よりも少ない沈み込み量で沈み込むとともに、上に凸である前記表面形状を保持できる反発力および厚さを有することを特徴とする。【００１１】
また、この発明にかかる靴は、前記中底においては、前記第１の弾性部材は、足先方向から見た両側面が底面に対し９０°未満の角度で傾斜した原形を有し、前記第２の弾性部材は、足先方向から見た側面が前記第１の弾性部材の前記側面の少なくとも一部と接着可能である程度に底面に対し９０°よりも大きな角度で傾斜した原形を有することを特徴とする。【００１２】
また、この発明にかかる靴の中敷は、前足部の横アーチ中央に対応する部分に設けられた第１の弾性部材と、足先方向から見て前記第１の弾性部材の両側に設けられ、前記第１の弾性部材よりも柔らかい第２の弾性部材と、を備え、前記足先方向から見た場合における前記第１の弾性部材と前記第２の弾性部材との連続した表面形状は、原形がほぼ平坦であり、履用時にかかる重さがかけられたときに上に凸に変形することを特徴とする。【００１３】
また、この発明にかかる靴の中敷は前記第１の弾性部材は、第２中足骨頭、第３中足骨頭および第４中足骨頭にほぼ対応する領域に設けられ、前記第２の弾性部材は、第１中足骨頭にほぼ対応する領域および第５中足骨頭にほぼ対応する領域に設けられることを特徴とする。【００１４】
また、この発明にかかる靴の中敷は、前記第２の弾性部材は、履用時にかかる重さがかけられたときに、少なくとも足裏の第１中足骨頭対応部分および第５中足骨頭対応部分が沈み込むとともに、該第２の弾性部材の上面が底につかない程度の反発力および厚さを有し、前記第１の弾性部材は、履用時にかかる重さがかけられたときに、前記第２の弾性部材よりも少ない沈み込み量で沈み込むとともに、上に凸である前記表面形状を保持できる反発力および厚さを有することを特徴とする。【００１５】
また、この発明にかかる靴の中敷は、前記第１の弾性部材は、足先方向から見た両側面が底面に対し９０°未満の角度で傾斜した原形を有し、前記第２の弾性部材は、足先方向から見た側面が前記第１の弾性部材の前記側面の少なくとも一部と接着可能である程度に底面に対し９０°よりも大きな角度で傾斜した原形を有することを特徴とする。
【発明の効果】
【００１６】
本発明によれば、前足部の横アーチ中央に対応する部分に設けられた第１の弾性部材と、足先方向から見て第１の弾性部材の両側に設けられ、第１の弾性部材よりも柔らかい第２の弾性部材とを備えた中底であって、足先方向から見た場合における第１の弾性部材と第２の弾性部材との連続した表面形状は、履用時にかかる重さがかけられたときに足裏の形状に沿って上に凸に変形する中底を有するため、靴を履いたときに前足部の足裏が横アーチに近い形状となることから、靴を履いた場合における横アーチ形状の崩れが少なくなり、横アーチ形状の崩れに起因する足の負担を軽減することができる。
【図面の簡単な説明】
【００１７】
【図１】図１は、実施の形態にかかる靴のインソール（中底）を示す平面図である。
【図２】図２は、図１のＡＡ線断面図である。
【図３】図３は、実施の形態１にかかる靴の履用時における横アーチ方向断面図である。
【図４】図４は、従来技術にかかる靴の横アーチ方向断面図である。
【図５】図５は、図１に示す中底とアウトソールとの側面図である。
【図６】図６は、実施の形態にかかる靴の履用時における足長方向断面図である。
【図７】図７は、実施の形態にかかる靴の製造方法を説明する側面図である。
【図８】図８は、実施の形態にかかる靴の製造方法を説明する側面図である。
【図９】図９は、実施の形態にかかる靴の中底の他の例を示す横アーチ方向断面図である。
【図１０】図１０は、実施の形態にかかる靴における中底の他の例を示す横アーチ方向断面図である。
【図１１】図１１は、実施の形態にかかる靴における中底の他の例を示す横アーチ方向断面図である。
【図１２】図１２は、実施の形態にかかる靴における中底の他の例を示す横アーチ方向断面図である。
【図１３】図１３は、実施の形態にかかる靴の中敷を示す平面図である。
【図１４】図１４は、図１３のＣＣ線断面図である。
【図１５】図１５は、図１３のＣＣ線断面図である。
【図１６】図１６は、図１３に示す中敷の側面図である。
【図１７】図１７は、図１３に示す中敷の靴への装着方法を説明する図である。
【符号の説明】
【００１８】
２，３，４，１０４，１４０，２４０，３４０，４４０  中底
５  アウトソール
６  ヒール
８，５０３  表面シート
４１，１４１，２４１，３４１  内側部
４２，１４２，２４２，３４２  外側部
４３，１４３，３４３  中央部
５４０  中敷
５４１  周辺部
【発明を実施するための最良の形態】
【００１９】
以下、図面を参照して、この発明の実施の形態である靴および靴の中敷について説明する。なお、この実施の形態によりこの発明が限定されるものではない。また、図面の記載において、同一部分には同一の符号を付している。さらに、図面は模式的なものであり、各層の厚みと幅との関係、各層の比率などは、現実のものとは異なることに留意する必要がある。図面の相互間においても、互いの寸法の関係や比率が異なる部分が含まれている。【００２０】
実施の形態にかかる靴は、靴を履いたときに足の骨の横断面方向のアーチ（横アーチ）形状が崩れないように、横アーチに対応する部分の弾性を部分的に変えた中底が用いられている。まず、本実施の形態における靴の中底について説明する。【００２１】
図１は、本実施の形態における靴のインソール（中底）を示す平面図である。図１は、本実施の形態における靴の中底として左足に対応する中底を例示している。図１に示すように、本実施の形態における靴の中底は、足先部を構成する中底２、土踏まず〜踵の部分に対応する中底３、および、ボールジョイントＢ上に対応する中底４に作り分けられている。中底２，３は、クッション性のある弾性材料などによって形成される。また、中底２，３，４は、靴の製造時において、それぞれ接触する面で接着される。【００２２】
つぎに、図１とともに図２および図３を参照して、図１に示す中底４について、さらに詳細に説明する。図２および図３は、図１における中底４をボールジョイントＢに沿ったＡＡ線で切断した断面を足先方向から見た図である。図２（１）は、使用者によって靴が履かれていない状態、すなわち、中底４の原形の断面図であり、図２（２）は、中底４上から履用時にかかる中底４に重さがかけられた状態の中底４の断面図であり、図３は、使用者によって靴が履かれた状態、すなわち、中底４上に足が置かれた場合における断面図である。なお、図３は、中底４表面の形状変化に応じて伸縮するナイロン、ポリエステル、皮革などを材料とした薄い表面シート８が中底４上に接着された靴完成後の状態を例示する。【００２３】
図１〜図３に示すように、中底４は、靴の中底全体のうち、ボールジョイントＢ部分に対応した部分であって、本来であれば横アーチ形状が形成される第１中足骨頭〜第５中足骨頭に対応する部分を構成する。【００２４】
そして、中底４は、足の親指側に対応する内側部４１、足の小指側に対応する外側部４２、および、中央部４３に作り分けられている。中央部４３は、前足部の横アーチ中央に対応する部分に設けられる。そして、内側部４１および外側部４２は、足先方向から見て中央部４３の両側に設けられている。これらの内側部４１、外側部４２および中央部４３は、弾性材料によって形成される。さらに、中底４における各部について詳細に説明する。【００２５】
内側部４１は、第１中足骨頭にほぼ対応する領域に設けられている。内側部４１においては、靴を履いたときに足裏の第１中足骨頭に対応する領域が内側部４１上に乗るように、ボールジョイントＢ上の幅Ｗ１は、ボールジョイントＢ上の中底４全体の幅Ｗの約３０％の幅を有し、足先方向端部からボールジョイントＢまでの足長方向の長さＬｆは、足長Ｌｔの約８％の長さを有し、ボールジョイントＢから踵方向端部までの足長方向の長さＬａは、足長Ｌｔの約６％の長さを有する。【００２６】
外側部４２は、第５中足骨頭にほぼ対応する領域に設けられている。外側部４２においては、靴を履いたときに足裏の第５中足骨頭に対応する領域が外側部４２上に乗るように、図１に示すように、ボールジョイントＢ上の幅Ｗ２は、ボールジョイントＢ上の中底４全体の幅Ｗの約３０％の幅を有し、内側部４１と同様に、足先方向端部からボールジョイントＢまでの足長方向の長さＬｆは、足長Ｌｔの約８％の長さを有し、ボールジョイントＢから踵方向端部までの足長方向の長さＬａは、足長Ｌｔの約６％の長さを有する。【００２７】
中央部４３は、第２中足骨頭、第３中足骨頭および第４中足骨頭にほぼ対応する領域に設けられている。中央部４３においては、靴を履いたときに足裏の第２中足骨頭、第３中足骨頭および第４中足骨頭に対応する領域が中央部４３上に乗るように、図１に示すように、ボールジョイントＢ上の幅Ｗ３は、ボールジョイントＢ上の中底４全体の幅Ｗの約４０％の幅を有し、内側部４１および外側部４２と同様に、足先方向端部からボールジョイントＢまでの足長方向の長さＬｆは、足長Ｌｔの約８％の長さを有し、ボールジョイントＢから踵方向端部までの足長方向の長さＬａは、足長Ｌｔの約６％の長さを有する。なお、高いヒールが設けられている場合や歩行時などにおいて体重の重みで足全体が足先方向へずれた場合であっても、横アーチ形状が形成される第１中足骨頭〜第５中足骨頭に対応する足裏部分が中底４に当たるように、中底４の内側部４１、外側部４２および中央部４３の足長方向の長さにおいては、ボールジョイントＢから足先方向の長さを、ボールジョイントＢから踵方向の長さよりも長くしている。すなわち、内側部４１、外側部４２および中央部４３においては、長さＬａと比較し長さＬｆを長く設定している。【００２８】
そして、図２（１）に示すように、内側部４１、外側部４２および中央部４３の連続した表面形状は、原形がほぼ平坦となるように加工されており、内側部４１、外側部４２および中央部４３は、厚さＤ１を有する。【００２９】
また、図２（１）に示すように、内側部４１および外側部４２の中央部４３側の側面全面は、中央部４３の各側面全面と接着剤で接着されている。なお、内側部４１および外側部４２の中央部４３側の側面と中央部４３の各側面とを接着剤を用いて接着する場合に、加熱条件下において熱プレスを行なってもよい。【００３０】
そして、図２（１）に示すように、中央部４３においては、足先方向から見た両側面が底面に対し９０°未満の角度θ１で傾斜した原形を有し、内側部４１および外側部４２は、足先方向から見た中央部４３側の側面が９０°よりも大きな角度θ２で傾斜した原形を有する。内側部４１および外側部４２の中央部４３側の各側面の傾斜角度θ２は、内側部４１および外側部４２の中央部４３側の各側面が中央部４３の両側面全面と確実に接着できるように、中央部４３の両側面の傾斜角度θ１に対応させた角度に設定されている。たとえばθ２は、（１８０°―θ１）である。【００３１】
さらに、この中底４は、靴を履いたときに横アーチ形状が崩れないように、弾性が部分的に変えられており、内側部４１および外側部４２と、中央部４３とは、異なる弾性を有する。具体的には、中央部４３は、反発力の強い弾性材料で形成されており、内側部４１と外側部４２とは、中央部４３よりも柔らかい弾性材料によって形成されている。【００３２】
そして、内側部４１、外側部４２および中央部４３の各弾性は、図２（２）に示すように、中底４上から履用時にかかる重さがかけられたときに、内側部４１、外側部４２および中央部４３の連続した表面形状が上に凸形状となるように設定されている。【００３３】
内側部４１は、中底４上から履用時にかかる重さがかけられたときに、図２（２）および図３に示すように内側部４１上に乗る第１中足骨頭Ｂ１対応部分が沈み込むとともに内側部４１の上面が底につかない程度の反発力および厚さＤ２１を有する。外側部４２は、中底４上から履用時にかかる重さがかけられたときに、図２（２）および図３に示すように外側部４２上に乗る第５中足骨頭Ｂ５対応部分が沈み込むとともに外側部４２の上面が底につかない程度の反発力および厚さＤ２２を有する。また、中央部４３は、中底４上から履用時にかかる重さがかけられたときに、内側部４１および外側部４２よりも少ない沈み込み量で沈み込み厚さＤ２３（＞Ｄ２１，Ｄ２２）となるとともに、上に凸に変形する内側部４１、外側部４２および中央部４３の連続した表面形状を保持できる反発力および厚さを有する。【００３４】
内側部４１、外側部４２および中央部４３の各弾性は、内側部４１、外側部４２および中央部４３にかかるおおよその重さを推測して、これらの各重さがかけられた場合に上に凸形状となるように設定されている。ここで、靴を履いていない場合、前足部のボールジョイントＢ上における体重負荷率は２２％程度である。この前足部のボールジョイントＢ上にかかる体重負荷率は、ヒールの高さが高くなるにしたがって高まり、ヒールの高さが４ｃｍである靴を履いた場合には前足部のボールジョイントＢ上における体重負荷率は３２％程度であり、ヒールの高さが８ｃｍである靴を履いた場合には前足部のボールジョイントＢ上における体重負荷率は６３％程度となる。また、前足部にかかる体重負荷率は、中央、内側および外側によって異なる。また、前足部にかかる体重負荷率は、蹴り出し時と静止時とにおいても異なる。このため、内側部４１、外側部４２および中央部４３の各弾性は、ヒール高さに対応する足裏の各部の体重負荷率、蹴り出し時における体重負荷率、履用対象者の平均体重などをもとに設定される。なお、中央部４３は、比較的硬度を有するクッション性を有するＥＶＡスポンジなどによって形成され、内側部４１および外側部４２は、クッション性を有する低反発スポンジ材料、たとえばＲＳフォーム（株式会社大裕商事製）又はＸ２（ブリュッゲマン社製）やガスを注入したウレタンなどによって形成される。【００３５】
このように中底４においては弾性が部分的に変えられているため、図３に示すように、中底４を有する靴を履いた場合、すなわち履用時にかかる重さがかけられた場合、第１中足骨頭Ｂ１に対応する内側部４１および第５中足骨頭Ｂ５に対応する外側部４２が沈み込むとともに、第２中足骨頭Ｂ２、第３中足骨頭Ｂ３および第４中足骨頭Ｂ４に対応する中央部４３が内側部４１および外側部４２よりも少ない沈み込み量で沈み込む。そして、中央部４３の上部両端の角も中底４上にかかる応力によってつぶれるように変形する。【００３６】
この結果、図３に示すように、履用時にかかる重さがかけられたとき、中底４にかかる応力が適切に分散され、内側部４１、外側部４２および中央部４３の連続した表面形状が平坦だった原形から上に凸に変形する。特に内側部４１、外側部４２および中央部４３の各側面は横アーチ形状に合わせて底面に対し傾斜した原形を有するため、内側部４１、外側部４２および中央部４３の連続した表面形状は、足裏の横アーチ形状に近いなだらかな凸形状に変形することができる。また、内側部４１および外側部４２は、中底４上から履用時にかかる重さがかけられたときに内側部４１および外側部４２の上面が底につかない程度の反発力および厚さを有するため、中底４においては、内側部４１上に乗る第１中足骨頭Ｂ１対応部分および外側部４２上に乗る第５中足骨頭Ｂ５対応部分を、クッション性を有する弾性材料で支えることができる。【００３７】
これにともない、図３に示すように、中底４上に置かれた足裏は、上に凸に変形した表面形状を有する内側部４１、外側部４２および中央部４３に支えられて、横アーチ曲線に近い曲線Ａｓのように上に凸に変形した状態を保持できる。言い換えると、中底４を有する靴を履いたとき、履用者の足の横アーチ形状が大きく崩れず、前足部の足裏が横アーチに近い形状を保持することができる。そして、内側部４１、外側部４２および中央部４３は、弾性材料で形成されており、さらに内側部４１、外側部４２および中央部４３の各側面は横アーチ形状に合わせて底面に対し傾斜した原形を有することから、体重や足の骨格形状に個人差がある場合であっても該個人差を吸収でき、横アーチ曲線に近い凸形状に変形可能である。このため、中底４を有する靴によれば、いずれの人に対しても足の横アーチ形状の大きな崩れを防止することが可能になるものと考えられる。また、すでに横アーチが崩れている人が履く場合であっても、加重時には第１中足骨頭部および第５中足骨頭部部が第２中足骨頭部から第４中足骨頭部に相当する部に比べより深く足底側に沈みこむため、加重が分散されることにより横アーチの崩れの進行を軽減することが可能になるものと考える。【００３８】
ここで、図４に例示する中底１０４を有する従来の靴においては、隆起形状が固定されているため足裏形状の個人差までカバーできず、この靴を履いた人の横アーチ形状と隆起形状とが合わない場合があった。このため、この靴を履いた場合、足裏の第２中足骨頭Ｂ２から第４中足骨頭Ｂ４に対応する部分と中底１０４の隆起部分とがぶつかって、強い痛みをともなう胼胝や魚の目などに起因して強い痛みが生じる場合があった。【００３９】
これに対し、本実施の形態にかかる靴においては、中底４における内側部４１、外側部４２および中央部４３の各弾性は、中底４上から履用時にかかる重さがかけられたときに内側部４１、外側部４２および中央部４３の連続した表面形状がなだらかな凸形状に変形するように設定されている。このため、この靴を履く各人の足裏の形に近い凸形状を形成することができる。また、中底４の各構成部位は、履用時に体重がかけられたときに凸形状に変形できれば足り、従来のように横アーチ形状に合わせた隆起形状を保持する必要がないため、反発力の強い硬い部材を中底４全体に使用する必要もない。このため、本実施の形態にかかる中底４を有する靴においては、足裏と中底とが強くぶつかることに起因する強い痛みをともなう胼胝や魚の目などによる痛みの発生を軽減することが可能になる。【００４０】
したがって、実施の形態にかかる中底４を有する靴によれば、この靴を履いたときに前足部の足裏が横アーチに近い形状となるため、横アーチ形状の崩れが少なくなり、前足部の足裏が横アーチに近い形状を保持できることから、胼胝や魚の目などによる痛みなどの横アーチ形状の崩れに起因する足の負担を軽減することができる。【００４１】
さらに、従来においては、ヒールの高い婦人靴を履いた場合にはヒールの低い靴を履いた場合よりも大きな重さが前足部にかかることから、図４のように足の第２中足骨頭Ｂ２から第４中足骨頭Ｂ４までが落ち込み、横アーチ形状が崩れて曲線Ａｓ０のように足裏が上に反り返った開張足となってしまう場合が多かった。そして、開張足となった結果、足裏と靴の中底とがぶつかりあい、ぶつかった部分を中心に強い痛みをともなう胼胝や魚の目などが、さらには将来的には外反母趾が発生するという問題があった。この開張足の発生をなくすためには、前足部への体重負荷率を減らす必要があったため、従来においては、ヒールの高さは３ｃｍが限界であった。このため、デザイン性が常に要求される婦人靴に対して、足の負担軽減とヒールを高くさせたデザインとをともに満たすことができなかった。【００４２】
これに対し、本実施の形態にかかる靴においては、中底４における内側部４１、外側部４２および中央部４３の弾性は、ヒール高さによって変化する体重負荷率、足裏の各部における体重負荷率および蹴り出し時や静止時などにおける体重負荷率などをもとに設定されるため、ヒールを高くした場合であっても、足の横アーチ形状の大きな崩れ防止を可能にし、胼胝や魚の目による痛みを軽減することができる。実際に、本実施の形態にかかる中底４を有する靴として、５ｃｍまたは６ｃｍの高いヒールを有する婦人靴を５足試作し、１５名の女性に試用してもらったところ、従来の靴において発生していた履用時における痛みがほとんど感じられないとの結果が得られた。したがって、実施の形態にかかる靴は、この中底４を採用することによって、従来限界であった３ｃｍよりも格段にヒールを高くでき、要求されるデザイン性を満たすことが可能になる。このため、実施の形態にかかる靴は、この中底４を採用することによって、デザイン性が常に要求される婦人靴において、足の負担軽減とヒールを高くさせたデザインとの双方を十分に満たすことが可能になる。さらに、実施の形態にかかる靴は、この中底４を採用することによって、ヒールの高くした場合であっても開張足を防止できることから、第１中足骨頭を正常な形に保持できる結果、第１中足骨頭が内側に開いて母趾の付け根が外に飛び出す形となる外反母趾の予防も期待できる。【００４３】
そして、実施の形態にかかる靴に使用される中底４においては、足側面方向から見た左右側面の双方が底面に対して鋭角に傾斜している。具体的に、図５を参照して説明する。図５は、靴の構成部材のうちアウトソールとアウトソール上に設けられる中底との側面図である。図５に示すように、ヒール６を有するアウトソール５上に接着される中底２，３，４のうち、中底４は、アウトソール５上面に対し、左側面が９０°よりも小さな角度である角度θ３で傾斜した形状を有し、右側面が９０°よりも小さな角度であるθ４で傾斜した形状を有する。そして、中底２の右側面は、中底４の左側面の傾斜角度θ３に合わせて傾斜しており、中底３の左側面は、中底４の右側面の傾斜角度θ４に合わせて傾斜している。このように、各中底がそれぞれ接着する面を傾斜させて、接着面を広く取って、各中底２，３，４が剥がれないようにしている。したがって、図６の矢印に示すように、蹴り出し時に履用者の体重が大きくかかってボールジョイント部を含む領域が大きく変形したときであっても、なお、蹴り出し時における各中底２，３，４の変形は、中底２，３，４における弾性によって円滑に吸収される。【００４４】
なお、実施の形態にかかる中底４を有する靴は、まず図７の矢印Ｙ１に示すように、弾性材料を利用して作成された中底２，３，４に皮革、合成皮革などにより形成された靴本体部分７を取り付け、次に矢印Ｙ２に示すように、アウトソール５を接着し、次いで矢印Ｙ３に示すようにヒール６を取り付ける。最後に、図８に示すように、表面シート８を中底４上に接着することによって製造される。なお、実際の作成順は上記以外の順により作成されても差し支えない。【００４５】
また、本実施の形態にかかる靴として、図１〜３に示すように足先方向から見た断面が台形形状である中央部４３を有する中底４を採用した場合を例に説明したが、もちろん中底４の各部の原形は図２に示す形状に限らず、履用時にかかる重さがかけられたときに内側部４１、外側部４２および中央部４３の連続した表面形状が上に凸に変形するものであれば足りる。【００４６】
たとえば、図９（１）に示すように、横アーチよりも半径が大きい円の円弧を描いた中央部１４３と、中央部１４３側の側面が中央部１４３の側面形状に合った曲面となるように形成された内側部１４１および外側部１４２とを有する中底１４０であってもよい。この場合も中底４と同様に、履用時にかかる重さがかけられたときに、内側部１４１、外側部１４２および中央部１４３の連続した表面形状が、図９（１）のほぼ平坦な原形から、図９（２）の横アーチ曲線に近い曲線Ａｓ１のように上に凸に変形するように、各部の側面形状、各部の厚さおよび各部の弾性を設定すればよい。この中底１４０は、中央部１４３に側面から上面にかかる角がないため、中底１４０は、中底４よりも体重や足裏形状の個人差を円滑に吸収でき、前足部の足裏をさらに横アーチに近づけることができる。また、中底１４０においては、内側部１４１および外側部１４２と、中央部１４３との接着面を中底４における場合よりも多くとることができるため、各部が剥がれにくくなるという効果も期待できる。【００４７】
また、図１０（１）に示す中底２４０の原形形状のように、中央部１４３の各側面との間に隙間Ｓａができるように中央部１４３側の側面の角度を中底４の場合よりもさらに大きくした内側部２４１および外側部２４２としてもよい。この場合、内側部２４１および外側部２４２の足先方向から見た側面は、剥がれが生じないように、中央部１４３の各側面の少なくとも一部と接着可能な程度に底面に対して９０°よりも大きな角度で傾斜した原形を有する必要がある。この中底４を設けた靴においては、図１０（２）に示すように、履用時にかかる重さがかけられたときに、隙間Ｓａを埋めるように内側部２４１および外側部２４２がつぶされる。このため、図１０（２）に示すように、履用時にかかる重さがかけられたときに、内側部２４１、外側部２４２および中央部１４３の連続した表面形状は、曲線Ａｓ２のように中底１４０よりも大きく隆起した凸形状となり、さらに前足部の足裏を横アーチ形状に近づけることができる。【００４８】
また、図１１（１）に示す中底３４０の原形形状のように、中央部３４３の足先方向から見た端部を内側部３４１および外側部３４２の底面まで延伸して、内側部３４１および外側部３４２を、側面のみならず底面でも中央部３４３に接着できるようにしてもよい。中底３４０においては、側面および底面の双方が接着面として使用できるため、各部が剥がれにくくなるという効果を期待できる。この場合も、中底４と同様に、内側部３４１、外側部３４２および中央部３４３の連続した表面形状は、図１１（１）に示すように、原形が平坦であり、図１１（２）に示すように、履用時にかかる重さがかけられたときに上に凸に変形するように、各部の側面形状、各部の厚さおよび各部の弾性を設定すればよい。【００４９】
また、弾性が異なる３つの部材で中底を作り分ける場合に限らず、さらに多数の部材で中底を作り分けてもよい。たとえば、図１２（１）の中底４４０に示すように、端部から中央にかけて徐々に硬くなるように、異なる弾性を有する部材４４１，４４２，４４３ａ〜４４３ｃによって作り分けてもよい。この場合も中底４と同様に、履用時にかかる重さがかけられたときに、部材４４１，４４２，４４３ａ〜４４３ｃの連続した表面形状が図１２（１）に示す平坦な原形から、図１２（２）の曲線Ａｓ４のように横アーチ曲線に近い凸形状に変形するように、側面形状、各部の厚さおよび各部の弾性を設定すればよい。中底４４０においては、第２中足骨頭、第３中足骨頭および第４中足骨頭にほぼ対応する領域に設けられた部材４４３ａ〜４４３ｃは、それぞれ足先方向から見た両側面が底面に対し９０°未満の角度で傾斜した原形を有している。また、中央に位置する部材４４３ａ、側面方向にかけて位置する部材４４３ｂ、部材４４３ｃの順に徐々に柔らかい材料で形成されており、足の内側に対応する部材４４１および足の外側に対応する部材４４２がさらに柔らかい材料で形成されている。このため、図１２（２）に示すように、中底４４０は、履用時にかかる重さがかけられたときには、理想的な横アーチ形状にさらに合致した凸形状を形成することができるものと考えられる。【００５０】
また、本実施の形態にかかる靴に採用した中底を、靴の大きさを調整するための中敷に応用してもよい。中敷に応用した場合も中底４と同様に、弾性が異なる材料で中敷におけるボールジョイントに対応する各領域を作り分ければよい。【００５１】
具体的に、図１３に示すように、足裏形状に合わせて足裏中央から足先に対応する形状を有する中敷５４０を例に説明する。中敷５４０のうち第２中足骨頭、第３中足骨頭および第４中足骨頭にほぼ対応する領域には、中底４と同様に中央部４３が形成されている。そして、中敷５４０のうち中央部４３以外の領域である周辺部５４１は、中底４における内側部４１および外側部４２と同様の特性を有する弾性材料で形成される。足の親指側に対応する周辺部５４１の領域のボールジョイントＢ上の幅は、靴を履いたときに足裏の第１中足骨頭に対応する領域が乗るように中底４と同様に幅Ｗ１を有する。そして、足の小指側に対応する周辺部５４１の領域のボールジョイントＢ上の幅は、靴を履いたときに足裏の第５中足骨頭に対応する領域が乗るように中底４と同様に幅Ｗ２を有する。また、中央部４３の足長方向の長さＬ４３は、体重の重みによって足全体が足先方向へずれた場合であっても、第２中足骨頭〜第４中足骨頭に対応する足裏部分が中敷５４０に当たるように、実際の第２中足骨頭〜第４中足骨頭に対応する足長方向の長さよりも長く設定されている。【００５２】
つぎに、図１４に、図１３における中敷５４０をＣＣ線で切断した断面を足先方向から見た図を示す。この図１４に示すように、中底４と同様に、周辺部５４１および中央部４３は、厚さＤ１を有し、周辺部５４１および中央部４３の連続した表面形状は、平坦な原形を有する。そして、周辺部５４１および中央部４３の連続した表面形状は、原形が平坦である。さらに、図１５に示すように、中敷５４０は、中底４と同様に、中敷５４０上から履用時にかかる重さがかけられたときに、周辺部５４１および中央部４３の連続した表面形状が横アーチ曲線に近い曲線Ａｓのように上に凸形状となる。このため、中敷５４０を装着した靴を履いた場合には、前足部の足裏が横アーチに近い形状となるため、横アーチ形状の崩れが少なくなり、横アーチ形状の崩れに起因する足の負担を軽減することができる。さらに、図１３に示す中敷５４０の側面図である図１６に示すように、中底４と同様に、中敷５４０の踵方向の側面は、アウトソール５上面に対し９０°よりも大きな角度である角度θ４で傾斜した形状を有する。したがって、中敷５４０を靴に装着した場合、中敷５４０と靴の表面シート５０３との間にスペースＳｂができるため、蹴り出し時に表面シート５０３および中敷５４０のボールジョイント対応部分が大きく変形したときであっても、スペースＳｂにおいて表面シート５０３および中敷５４０の変形を吸収して、中敷５４０の踵方向端部の浮き上がりを防止し足裏への押し上げを抑制している。【００５３】
この中敷５４０を使用するには、図１７の矢印に示すように、既に完成した靴内部に中敷５４０を差し入れて、表面シート５０３上の第２中足骨頭〜第４中足骨頭に対応する部分に中央部４３が配置するように中敷５４０を装着すればよい。この場合、靴内部の形状に合うように、中敷５４０の周辺部をカットしてもよい。また、中敷５４０は、足長の長さに対応させて複数のサイズを設定してもよい。また、中敷５４０の裏面に接着剤を塗布して表面シート５０３上から剥がれないようにしてもよい。この場合、表面シート５０３上に中敷５４０を取り付けるまでの間に接着剤が固化しないように、中敷５４０裏面の接着剤上をフィルム膜などで覆った状態で保管する。【００５４】
また、中底４，１４０，２４０，３４０，４４０の内側部、外側部および中央部の弾性の組み合わせ、および、中敷５４０の周辺部５４１および中央部４３の弾性の組み合わせは、ヒールの高さや、体重が重い人、体重が軽い人などに対応させてそれぞれ複数種類設定してもよい。
【産業上の利用可能性】
【００５５】
以上のように、本発明にかかる靴の中底および靴は、靴を履いた場合における横アーチ形状の崩れに起因する足の負担軽減を目的とする場合に有用であり、特に、デザイン性を要求される婦人靴への使用に適している。
【図１】
2008146376.tif 000003
【図２】
2008146376.tif 000004
【図３】
2008146376.tif 000005
【図４】
2008146376.tif 000006
【図５】
2008146376.tif 000007
【図６】
2008146376.tif 000008
【図７】
2008146376.tif 000009
【図８】
2008146376.tif 000010
【図９】
2008146376.tif 000011
【図１０】
2008146376.tif 000012
【図１１】
2008146376.tif 000013
【図１２】
2008146376.tif 000014
【図１３】
2008146376.tif 000015
【図１４】
2008146376.tif 000016
【図１５】
2008146376.tif 000017
【図１６】
2008146376.tif 000018
【図１７】
2008146376.tif 000019
【手続補正書】
【提出日】平成20年2月18日(2008.2.18)
【手続補正１】
【補正対象書類名】特許請求の範囲
【補正対象項目名】全文
【補正方法】変更
【補正の内容】
【特許請求の範囲】
【請求項１】
前足部の横アーチ中央に対応する部分に設けられた第１の弾性部材と、
足先方向から見て前記第１の弾性部材の両側に設けられ、前記第１の弾性部材よりも柔らかい第２の弾性部材と、
を有する中底を備えた靴であって、
前記足先方向から見た場合における前記第１の弾性部材と前記第２の弾性部材との連続した表面形状は、原形がほぼ平坦であり、履用時にかかる重さがかけられたときに上に凸に変形し、
前記第１の弾性部材は、前記第２の弾性部材との接合面の少なくとも上部が底面に向かって傾斜していることを特徴とする靴。
【請求項２】
前記中底においては、
前記第１の弾性部材は、第２中足骨頭、第３中足骨頭および第４中足骨頭にほぼ対応する領域に設けられ、
前記第２の弾性部材は、第１中足骨頭にほぼ対応する領域および第５中足骨頭にほぼ対応する領域に設けられることを特徴とする請求項１に記載の靴。 
【請求項３】
前記中底においては、
前記第２の弾性部材は、履用時にかかる重さがかけられたときに、少なくとも足裏の第１中足骨頭対応部分および第５中足骨頭対応部分が沈み込むとともに、該第２の弾性部材の上面が底につかない程度の反発力および厚さを有し、
前記第１の弾性部材は、履用時にかかる重さがかけられたときに、前記第２の弾性部材よりも少ない沈み込み量で沈み込むとともに、上に凸である前記表面形状を保持できる反発力および厚さを有することを特徴とする請求項２に記載の靴。 
【請求項４】
前記中底においては、
前記第１の弾性部材は、足先方向から見た両側面が底面に対し９０°未満の角度で傾斜した原形を有し、
前記第２の弾性部材は、足先方向から見た側面が前記第１の弾性部材の前記側面の少なくとも一部と接着可能である程度に底面に対し９０°よりも大きな角度で傾斜した原形を有することを特徴とする請求項１に記載の靴。
【請求項５】
前足部の横アーチ中央に対応する部分に設けられた第１の弾性部材と、
足先方向から見て前記第１の弾性部材の両側に設けられ、前記第１の弾性部材よりも柔らかい第２の弾性部材と、
を備え、
前記足先方向から見た場合における前記第１の弾性部材と前記第２の弾性部材との連続した表面形状は、原形がほぼ平坦であり、履用時にかかる重さがかけられたときに上に凸に変形し、
前記第１の弾性部材は、前記第２の弾性部材との接合面の少なくとも上部が底面に向かって傾斜していることを特徴とする靴の中敷。
【請求項６】
前記第１の弾性部材は、第２中足骨頭、第３中足骨頭および第４中足骨頭にほぼ対応する領域に設けられ、
前記第２の弾性部材は、第１中足骨頭にほぼ対応する領域および第５中足骨頭にほぼ対応する領域に設けられることを特徴とする請求項５に記載の靴の中敷。 
【請求項７】
前記第２の弾性部材は、履用時にかかる重さがかけられたときに、少なくとも足裏の第１中足骨頭対応部分および第５中足骨頭対応部分が沈み込むとともに、該第２の弾性部材の上面が底につかない程度の反発力および厚さを有し、
前記第１の弾性部材は、履用時にかかる重さがかけられたときに、前記第２の弾性部材よりも少ない沈み込み量で沈み込むとともに、上に凸である前記表面形状を保持できる反発力および厚さを有することを特徴とする請求項６に記載の靴の中敷。
【請求項８】
前記第１の弾性部材は、足先方向から見た両側面が底面に対し９０°未満の角度で傾斜した原形を有し、
前記第２の弾性部材は、足先方向から見た側面が前記第１の弾性部材の前記側面の少なくとも一部と接着可能である程度に底面に対し９０°よりも大きな角度で傾斜した原形を有することを特徴とする請求項５に記載の靴の中敷。
【手続補正書】
【提出日】平成20年5月29日(2008.5.29)
【手続補正１】
【補正対象書類名】特許請求の範囲
【補正対象項目名】全文
【補正方法】変更
【補正の内容】
【特許請求の範囲】
【請求項１】
前足部の横アーチ中央に対応する部分に設けられた第１の弾性部材と、
足先方向から見て前記第１の弾性部材の両側に設けられ、前記第１の弾性部材よりも柔らかい第２の弾性部材と、
を有する中底を備えた靴であって、
前記足先方向から見た場合における前記第１の弾性部材と前記第２の弾性部材との連続した表面形状は、原形がほぼ平坦であり、履用時にかかる重さがかけられたときに上に凸に変形し、
前記第１の弾性部材は、前記足先方向から見た場合における前記第２の弾性部材との両側の接合面の少なくとも上部が、底面に向かって幅が広がるように傾斜していることを特徴とする靴。
【請求項２】
前記中底においては、
前記第１の弾性部材は、第２中足骨頭、第３中足骨頭および第４中足骨頭にほぼ対応する領域に設けられ、
前記第２の弾性部材は、第１中足骨頭にほぼ対応する領域および第５中足骨頭にほぼ対応する領域に設けられることを特徴とする請求項１に記載の靴。 
【請求項３】
前記中底においては、
前記第２の弾性部材は、履用時にかかる重さがかけられたときに、少なくとも足裏の第１中足骨頭対応部分および第５中足骨頭対応部分が沈み込むとともに、該第２の弾性部材の上面が底につかない程度の反発力および厚さを有し、
前記第１の弾性部材は、履用時にかかる重さがかけられたときに、前記第２の弾性部材よりも少ない沈み込み量で沈み込むとともに、上に凸である前記表面形状を保持できる反発力および厚さを有することを特徴とする請求項２に記載の靴。 
【請求項４】
前記中底においては、
前記第１の弾性部材は、足先方向から見た両側面が底面に対し９０°未満の角度で傾斜した原形を有し、
前記第２の弾性部材は、足先方向から見た側面が前記第１の弾性部材の前記側面の少なくとも一部と接着可能である程度に底面に対し９０°よりも大きな角度で傾斜した原形を有することを特徴とする請求項１に記載の靴。
【請求項５】
前足部の横アーチ中央に対応する部分に設けられた第１の弾性部材と、
足先方向から見て前記第１の弾性部材の両側に設けられ、前記第１の弾性部材よりも柔らかい第２の弾性部材と、
を備え、
前記足先方向から見た場合における前記第１の弾性部材と前記第２の弾性部材との連続した表面形状は、原形がほぼ平坦であり、履用時にかかる重さがかけられたときに上に凸に変形し、
前記第１の弾性部材は、前記足先方向から見た場合における前記第２の弾性部材との両側の接合面の少なくとも上部が、底面に向かって幅が広がるように傾斜していることを特徴とする靴の中敷。
【請求項６】
前記第１の弾性部材は、第２中足骨頭、第３中足骨頭および第４中足骨頭にほぼ対応する領域に設けられ、
前記第２の弾性部材は、第１中足骨頭にほぼ対応する領域および第５中足骨頭にほぼ対応する領域に設けられることを特徴とする請求項５に記載の靴の中敷。 
【請求項７】
前記第２の弾性部材は、履用時にかかる重さがかけられたときに、少なくとも足裏の第１中足骨頭対応部分および第５中足骨頭対応部分が沈み込むとともに、該第２の弾性部材の上面が底につかない程度の反発力および厚さを有し、
前記第１の弾性部材は、履用時にかかる重さがかけられたときに、前記第２の弾性部材よりも少ない沈み込み量で沈み込むとともに、上に凸である前記表面形状を保持できる反発力および厚さを有することを特徴とする請求項６に記載の靴の中敷。
【請求項８】
前記第１の弾性部材は、足先方向から見た両側面が底面に対し９０°未満の角度で傾斜した原形を有し、
前記第２の弾性部材は、足先方向から見た側面が前記第１の弾性部材の前記側面の少なくとも一部と接着可能である程度に底面に対し９０°よりも大きな角度で傾斜した原形を有することを特徴とする請求項５に記載の靴の中敷。
【国際調査報告】
2008146376.tif 000020
2008146376.tif 000021
2008146376.tif 000022
2008146376.tif 000023